(57)【要約】    【課題】  カメラと被写体との距離を測定することなく、実用的には問題がない精度で、撮影画像にスケールを写し込む。    【解決手段】  所定の撮影距離だけ離れた面で焦点が合うように、所定の画像を投影する投影装置２と、撮影レンズ１１の焦点距離及び撮影距離により決定される撮影倍率に基づいて定まるスケール画像と、撮影した撮影画像とを重ね合わせた合成画像を生成するスケール合成部６５とを有する撮影画像にスケールを写しこむカメラ。    【選択図】  図６
2006270136.tif 000002
【特許請求の範囲】
【請求項１】
撮影レンズを備えたカメラであって、
所定の撮影距離だけ離れた面で焦点が合うように、所定の画像を投影する画像投影手段と、
前記撮影レンズの焦点距離及び前記撮影距離により決定される撮影倍率に基づいて定まるスケール画像と、撮影した撮影画像とを重ね合わせた合成画像を記録媒体に記録する記録手段と、を備えたカメラ。
【請求項２】
複数の撮影距離候補の中から一つの撮影距離の選択を受け付ける選択手段と、
前記複数の撮影距離候補と前記撮影レンズの焦点距離とにより定まる複数の撮影倍率別の複数のスケール画像を記憶する記憶部と、をさらに備え、
前記画像投影手段は、前記選択された撮影距離だけ離れた面で焦点が合うように、前記所定の画像を投影し、
前記記録手段は、前記複数のスケール画像の中から、前記選択された撮影距離に対応するスケール画像を選択し、選択されたスケール画像と撮影した撮影画像とを重ねて記録媒体に記録する請求項１記載のカメラ。
【請求項３】
複数の撮影距離候補の中から一つの撮影距離の選択を受け付ける選択手段と、
スケール画像の雛形画像を記憶する記憶部と、をさらに備え、
前記画像投影手段は、前記選択された撮影距離だけ離れた面で焦点が合うように、前記所定の画像を投影し、
前記記録手段は、前記選択された撮影距離と前記撮影レンズの焦点距離とに基づいて、前記スケール画像の雛形画像を拡大または縮小し、前記撮影した撮影画像と重ねて記録媒体に記録する請求項１記載のカメラ。
【請求項４】
前記記憶部には、同一の撮影倍率について表示態様が異なる複数のスケール画像が記憶されている請求項２又は３記載のカメラ。
【請求項５】
前記画像投影手段は、前記カメラの撮影時に前記画像の投影を行わないことを特徴とする請求項１から４のいずれかに記載のカメラ。
【請求項６】
前記画像投影手段は、前記画像を回転させて投影可能であることを特徴とする請求項１から５のいずれかに記載のカメラ。
【請求項７】
前記記録媒体に記録されている前記合成画像は、前記スケール画像と前記撮影画像とが異なるレイヤの画像であり、かつ、互いに関連付けて記憶されていて、
前記カメラは、
前記記録媒体に互いに関連付けて記憶されている前記スケール画像と前記撮影画像とを読み出し、前記スケール画像の編集、または他のスケール画像へ置換する合成画像編集手段をさらに備える請求項１から６のいずれかに記載のカメラ。
【請求項８】
前記投影手段は、予め定められた複数の候補画像を有し、前記複数の候補画像の中から選択された画像を投影することを特徴とする請求項１から７のいずれかに記載のカメラ。
【請求項９】
所定の撮影距離だけ離れた面で焦点が合うように、所定の画像を投影する画像投影手段を有するカメラと接続可能な画像処理装置であって、
前記カメラから撮影画像の画像データと、前記撮影画像を撮影した時の撮影レンズの焦点距離及び前記画像投影手段の撮影距離とを取得する手段と、
前記撮影レンズの焦点距離及び前記撮影距離により決定される撮影倍率に基づいて定まるスケール画像と、撮影した撮影画像とを重ね合わせる合成手段と、を備えた画像処理装置。
【発明の詳細な説明】
【技術分野】
【０００１】
本発明は、撮影した画像にスケールを重ねて写し込むカメラに関する。
【背景技術】
【０００２】
従来、デジタルカメラで撮影した画像にスケール（目盛り）を写しこみたいという要求がある。例えば、病院にて怪我の状態を撮影した場合、傷の大きさを特定するためには、スケールを傷の横に置いて一緒に写しこむ必要があった。一般的に、以下の情報があれば、デジタルカメラで撮影した画像に目盛りを写しこむことは可能である。
ｄ：被写体とカメラの距離（ｍｍ）
ｆ：撮影時の焦点距離（ｍｍ）
ｐ：CCDの画素ピッチ（ｍｍ）
【０００３】
この３つの情報からCCD１画素間の距離が被写体の何ｍｍに相当するかが計算できる。上記のうち、ｆとpはデジタルカメラにとって既知の情報である。したがって、ｄをどのように特定するかがポイントである。
【０００４】
ここで、被写体との距離を測定し、撮影画像にスケールを移し込むカメラに関する先行技術は、例えば特許文献１、２がある。
【特許文献１】特開平11-344311号公報
【特許文献２】特開2004-260778号公報
【発明の開示】
【発明が解決しようとする課題】
【０００５】
特許文献１は、被写体との距離を測定するのに専用の距離計を用意している。最近のコンパクトタイプのデジタルカメラはこのような専用の距離計を持っていないタイプが多く、それを新たに装備するのは、コストアップ、開発期間が長くなる等の問題がある。
【０００６】
また、特許文献２では、AFセンサを使用して距離を測定するとしている。しかし、一般にAFセンサは合焦用のレンズを移動したときに焦点が合っているかどうかを出力できれば良いので、絶対的な距離の測定には不向きである。従って、AFセンサを用いて絶対的な距離を測定するためには、各カメラの固体別の調整が必要となり、製造コストを考慮すると現実的ではない。
【０００７】
そこで、本発明の目的は、カメラと被写体との距離を測定することなく、実用的には問題がない精度で、撮影画像にスケールを写し込むことを可能にする技術を提供することである。
【課題を解決するための手段】
【０００８】
本発明の一実施態様に従う撮影レンズを備えたカメラは、所定の撮影距離だけ離れた面で焦点が合うように、所定の画像を投影する画像投影手段と、前記撮影レンズの焦点距離及び前記撮影距離により決定される撮影倍率に基づいて定まるスケール画像と、撮影した撮影画像とを重ね合わせた合成画像を記録媒体に記録する記録手段と、を備える。
【０００９】
これにより、撮影画像の焦点が合うように調整することで、カメラと被写体との距離を撮影距離に合わせて距離で撮影できる。この結果、被写体との距離を測定するセンサを搭載しなくても、適切なスケール画像を写し込むことができる。
【００１０】
好適な実施形態では、複数の撮影距離候補の中から一つの撮影距離の選択を受け付ける選択手段と、前記複数の撮影距離候補と前記撮影レンズの焦点距離とにより定まる複数の撮影倍率別の複数のスケール画像を記憶する記憶部と、をさらに備えていてもよい。そして、前記画像投影手段は、前記選択された撮影距離だけ離れた面で焦点が合うように、前記所定の画像を投影し、前記記録手段は、前記複数のスケール画像の中から、前記選択された撮影距離に対応するスケール画像を選択し、選択されたスケール画像と撮影した被写体像とを重ねて記録媒体に記録するようにしてもよい。
【００１１】
好適な実施形態では、複数の撮影距離候補の中から一つの撮影距離の選択を受け付ける選択手段と、スケール画像の雛形画像を記憶する記憶部と、をさらに備えていてもよい。そして、前記画像投影手段は、前記選択された撮影距離だけ離れた面で焦点が合うように、前記所定の画像を投影し、前記記録手段は、前記選択された撮影距離と前記撮影レンズの焦点距離とに基づいて、前記スケール画像の雛形画像を拡大または縮小し、前記撮影した撮影画像と重ねて記録媒体に記録するようにしてもよい。
【００１２】
好適な実施形態では、前記記憶部には、同一の撮影倍率について表示態様が異なる複数のスケール画像が記憶されていてもよい。
【００１３】
好適な実施形態では、前記画像投影手段は、前記カメラの撮影時に前記画像の投影を行わないようにしてもよい。
【００１４】
好適な実施形態では、前記画像投影手段は、前記画像を回転させて投影可能であってもよい。
【００１５】
好適な実施形態では、前記記録媒体に記録されている前記合成画像は、前記スケール画像と前記撮影画像とが異なるレイヤの画像であり、かつ、互いに関連付けて記憶されている。そして、前記カメラは、前記記録媒体に互いに関連付けて記憶されている前記スケール画像と前記撮影画像とを読み出し、前記スケール画像の編集、または他のスケール画像への交換をする合成画像編集手段をさらに備えていてもよい。
【００１６】
好適な実施形態では、前記投影手段は、予め定められた複数の候補画像を有し、前記複数の候補画像の中から選択された画像を投影するようにしてもよい。
【００１７】
本発明の一実施態様に従う画像処理装置は、所定の撮影距離だけ離れた面で焦点が合うように、所定の画像を投影する画像投影手段を有するカメラと接続可能な画像処理装置である。そして、前記カメラから撮影画像の画像データと、前記撮影画像を撮影した時の撮影レンズの焦点距離及び前記画像投影手段の撮影距離とを取得する手段と、前記撮影レンズの焦点距離及び前記撮影距離により決定される撮影倍率に基づいて定まるスケール画像と、撮影した撮影画像とを重ね合わせる合成手段と、を備える。
【００１８】
これにより、カメラと接続可能な画像処理装置において、撮影画像にスケール画像を合成することができる。
【発明を実施するための最良の形態】
【００１９】
以下、本発明の一実施形態に係る投影装置を備えた、スケールを写し込むデジタルカメラについて、図面を参照して説明する。
【００２０】
図１は、本発明の第１の実施形態に係るデジタルカメラ１の正面側の外観を示す斜視図である。
【００２１】
本実施形態に係るデジタルカメラ１は筐体１０を有し、筐体１０の正面には撮影レンズ１１と、光学ファインダ１２と、ストロボの発光部１３と、滑り止め１６とを有する。また、筐体１０内部には、後述する投影装置２が収容されていて、筐体１０の正面に投影装置２が画像を投影するための投影窓２１が設けられている。
【００２２】
筐体１０の上面には、シャッター１４と、撮影モードを選択するためのモードダイヤル１５とが設けられている。
【００２３】
また、筐体１０の左側面には、投影装置２の一部を構成する撮影距離設定ダイヤル２２と、投影マスク回転ダイヤル２３とが露出している。
【００２４】
図２は、デジタルカメラ１の背面図である。カメラ１の背面には、光学ファインダ４１と、ＬＣＤ（液晶ディスプレイ）４２と、ズームボタン４３（４３ａ、４３ｂ）と、十字キー４４と、メニューボタン４５と、ＯＫボタン４６と、キャンセルボタン４７とが設けられている。また、投影装置２の一部を構成する投影ボタン２５も、カメラ１の背面に設けられている。
【００２５】
カメラ１に内蔵されている投影装置２は、カメラ１から所定の距離だけ離れた面に焦点が合うような所定の投影画像を投影する。そして、被写体に投影された投影画像の焦点が合うように、ユーザがカメラ１と被写体との距離を調節することにより、カメラ１と被写体との距離を所定距離に設定できる。
【００２６】
なお、投影装置２は、カメラ本体とは別体で構成し、カメラ本体から着脱自在であっていてもよい。
【００２７】
つぎに、図３に筐体１０内に収容されている投影装置２の構成を示す。
【００２８】
投影装置２は、電球あるいはＬＥＤなどの光源３１と、光源３１の光を反射する反射板３２と、光を拡散させる拡散板３３と、拡散板３３を透過した透過光が所定の画像となるような投影マスク３４と、所定の距離に投影画像の焦点が合うようにするための投影レンズ３５と、投影レンズ３５を透過した光の角度を９０度曲げるための反射鏡３６とを有する。
【００２９】
拡散板３３は、光源３１からの光と反射板３２からの反射光を拡散する。そして、拡散板３３により拡散された均一な光が、投影マスク３４に照射される。
【００３０】
投影マスク３４のパターンの一例を図４に示す。この投影マスク３４を透過した透過光により作られる投影画像は、カメラ１から予め設定されている距離で焦点が合うようになっている。従って、ユーザは、この投影画像が最も鮮明になるようにカメラ１と被写体の距離を調節する。以下の説明では、投影画像の焦点が合うカメラ１からの距離を撮影距離と呼ぶ。
【００３１】
また、投影マスク３４は、投影マスク回転ダイヤル２３を操作することにより、回転可能になっている。投影マスク３４を回転させることにより、投影画像を回転させることができる。例えば、投影マスク３４を回転することにより、図５（ａ）に示すような投影画像を同図（ｂ）に示すように回転させることができる。
【００３２】
投影レンズ３５は、撮影距離設定ダイヤル２２が操作されると、図示しない移動機構によりにより光軸に対して垂直方向へ移動する。投影レンズ３５が移動することにより、投影画像の焦点が合う撮影距離も変化する。
【００３３】
例えば、撮影距離としては、選択可能な複数の距離（例えば、５０ｃｍ、３０ｃｍ、１５ｃｍ）が予め定められていて、この中からユーザが任意の距離を選択可能なようにしてもよい。ここで、選択された撮影距離が、デジタルカメラ１のスケール合成部６５（図６参照）へ通知されるようにしてもよい。
【００３４】
なお、投影レンズ３５は、複数のレンズを組み合わせた投影レンズ群としてもよい。これにより、焦点が合ったときの投影画像をより鮮明にすることができる。
【００３５】
なお、カメラ１の左側面は開閉可能となっており、光源３１の交換、及び投影マスク３４の交換ができるようになっている。ユーザは、好みの投影マスク３４を取り付けることにより、投影図を選択することができる。
【００３６】
上記の構成を備えることにより、投影装置２は以下のように動作する。
【００３７】
まず、ユーザにより投影ボタン２５が押下されると光源３１が点灯する。そして、反射板３２によって反射された光を含む光源３１からの光が、拡散板３３により拡散される。そして、拡散された光が投影マスク３４、投影レンズ３５を通過して、反射鏡３６により反射されて投影窓２１から筐体１０の外部へ、投影画像として投影される。投影画像は、カメラ１の撮影領域内に投影される。つまり、投影画像が撮影しようとする被写体上に映り、ユーザが光学ファインダ４１を覗いたときに、投影画像が見える位置に投影される。
【００３８】
なお、カメラ１の撮影モードに「投影モード」を設けてもよい。この場合、モードダイヤル１５にも「投影モード」が設けられ、ユーザはモードダイヤル１５を用いて「投影モード」を選択する。「投影モード」が選択されると、投影ボタン２５が押されなくても、画像の投影を行う。
【００３９】
また、投影装置２が画像の投影を開始すると、カメラ１は自動的に近距離撮影のためのマクロモードに移行するようにしてもよい。
【００４０】
図６は、デジタルカメラ１の機能構成を示す図である。
【００４１】
デジタルカメラ１は、光学処理部５０と、画像処理・制御部６０と、インタフェース部７０と、投影装置２とを有する。
【００４２】
光学処理部５０は、撮影レンズ１１と、イメージセンサであるＣＣＤ（Coupled Charged Device）５２と、ＡＦＥ（Analog Front End）５３と、レンズ制御部５４と、タイミングジェネレータ５５とを備える。
【００４３】
ＣＣＤ５２は、この撮影レンズ１１により結像される被写体像を光電変換して得られる電荷を、受光セル毎に一定時間蓄積し受光セル毎の受光量に応じた電気信号を出力する。
【００４４】
ＡＦＥ５３は、ＣＣＤ５２から出力される電気信号を量子化してデジタル信号に変換し、出力する。ＡＦＥ５３が出力するデジタル信号は、すなわち、ＣＣＤ５２上で結像した被写体の撮影画像データである。
【００４５】
レンズ制御部５４は、ズームボタン４３の操作に従ってズーム率を変化させる。そして、ズーム率によって定まる撮影レンズ１１の焦点距離をスケール合成部６５へ通知する。
【００４６】
例えば、本実施形態のデジタルカメラ１は３倍ズーム機能を有し、撮影レンズ１１に組み込まれたステップモータ（図示しない）を回転することによりズーム率を変化させることができる。撮影レンズ１１の焦点距離は、5.6mm〜16.8mmの間で可変となっている。これは、35mmフィルム用ズームレンズに換算すると、34mm〜102mm相当となる。カメラ１は、このズーム領域を６段階に制御できる。すなわち、ズームボタン４３が押下されると、焦点距離は5.6mm、6.8ｍｍ、9.5ｍｍ、12.2mm、14.8ｍｍ、16.8ｍｍのいずれかになる。
【００４７】
タイミングジェネレータ５５は、ＣＣＤ５２とＡＦＥ５３にタイミング信号を供給することにより、ＣＣＤ５２からの電気信号をＡＦＥ５３にて処理するタイミングを制御する。
【００４８】
投影装置２の構成としては、光源制御部８１と、投影マスク回転角検出器８２と、撮影距離距離検出器８３と、光源３１と、撮影距離設定ダイヤル２２と、投影マスク回転ダイヤル２３とを有する。
【００４９】
光源制御部８１は、投影ボタン２５（図２参照）の操作に従って、光源３１の点灯及び消灯を制御する。例えば、光源制御部８１は、投影ボタン２５が押されている間だけ光源３１を点灯するようにしてもよいし、投影ボタン２５が押されると光源３１を点灯し、タイミングジェネレータ５５から撮影タイミングの通知を受けると、消灯するようにしてもよい。さらには、投影ボタン２５が押されると、そこから一定時間の間、光源３１を点灯するようにしてもよい。
【００５０】
投影マスク回転角検出器８２は、投影マスク３４が投影マスク回転ダイヤル２３により回転させられると、その回転角を検出する。投影マスク回転角検出器８２の出力は、後述するスケール画像の編集処理で用いられる。
【００５１】
撮影距離検出器８３は、撮影距離設定ダイヤル２２に取り付けられた回転角センサの出力に基づいて、選択可能な複数の投影距離のうちのいずれが選択されたかを検出する。撮影距離検出器８３の出力は、スケール合成部６５へ通知される。
【００５２】
インタフェース部７０は、操作部７１と、外部インタフェース制御部７２と、ＵＳＢコネクタ７３と、メモリカード制御部７４、メモリカードコネクタ７５とを備える。
【００５３】
操作部７１には、図２に示すズームボタン４３（４３ａ、４３ｂ）、十字キー４４、メニューボタン４５、ＯＫボタン４６、及びキャンセルボタン４７が含まれる。
【００５４】
外部インタフェース制御部７２は、ＵＳＢコネクタ７３を介して接続された装置との間でデータ入出力を行う。
【００５５】
メモリカード制御部７４は、メモリカードコネクタ７５を介して接続されたメモリカード７６にデータを書き込んだり、メモリカード７６からデータを読み出したりする。例えば、本実施形態では、メモリカード制御部７４は、画像処理部６４が出力した画像データあるいはスケール合成部６５が出力した合成画像データをメモリカード７６へ書き込み、メモリカード７６に記憶されている画像データ及び合成画像データを読み出す。
【００５６】
画像処理・制御部６０は、ＣＰＵ６１と、処理プログラムなどを記憶するＲＯＭ６２と、一時的にデータを記憶するＲＡＭ６３と、画像処理部６４と、スケール合成部６５と、圧縮・伸長部６６と、表示制御部６７とを備える。
【００５７】
画像処理部６４は、光学処理部５０から送られてくる撮影画像データに基づいて、所定の画像処理を行う。例えば、ＡＦＥ５３から出力された画像データに対して画像形成処理，ホワイトバランス補正，ガンマ補正，色空間変換等を施して各画素についてＲ，Ｇ，Ｂの階調値やＹ，Ｃｂ，Ｃｒの階調値などを表すデジタル画像を出力する。
【００５８】
スケール合成部６５は、画像処理部６４が処理した画像データに、スケール画像を重ね合わせる画像合成を行う。スケール画像が合成された画像データは、メモリカード制御部７４へ送られて、メモリカード７６に書き込まれる。
【００５９】
図７には、スケール画像の例を示す。
【００６０】
本実施形態では、同図に示すように、表示態様が異なる複数のタイプのスケール画像を有している。すなわち、同図（ａ）は、画像の中心でクロスするスケールタイプの画像１１０であり、同図（ｂ）は、スケールが画像の端に位置するタイプの画像１２０である。これらのスケール画像のための画像データは、例えば、ＲＯＭ６２に予め記憶されている。スケール画像は、タイプごとに、異なる縮尺の複数のスケール画像がある。
【００６１】
スケール画像のタイプ及び表示色は、図示しないメニュー画面等を用いてユーザが所望のタイプを選択可能である。
【００６２】
スケール合成部６５は、レンズ制御部５４から撮影レンズ１１の焦点距離を取得し、撮影距離検出器８３から撮影距離を取得する。ここで取得した撮影レンズ１１の焦点距離及び撮影距離に基づいて定まる撮影倍率に応じた縮尺のスケール画像を選択する。そして、選択されたスケール画像と撮影画像とを合成する。
【００６３】
図８は撮影倍率の説明図である。同図を用いてスケール画像の選択について説明する。
【００６４】
撮影レンズ１１の焦点距離ｆで、投影画像の焦点が合う撮影距離ｄだけ離れた被写体を撮影した場合、ＣＣＤ５２上に結像する被写体像の撮影倍率は、ｆ／ｄとなる。一方、ＣＣＤ５２の画素間の距離（画素ピッチ）ｐは、カメラ１に固有の値であり、既知である。従って、ＣＣＤ１画素あたりの被写体の寸法Ｋは、以下の式で求まる。
Ｋ＝（ｄ／ｆ）・ｐ
【００６５】
つまり、焦点距離ｆと撮影距離ｄとが定まれば、１画素あたりの被写体寸法も定まるので、スケール画像の縮尺も定まる。例えば、ｄ＝５００ｍｍ、ｆ＝５．６ｍｍ、ｐ＝２．２μｍとすれば、Ｋは約０．２ｍｍとなる。従って、約２５０画素で５ｃｍとなるので、２５０画素ごとにメモリを付けた図７（ａ）に示すスケール画像を選択すればよい。
【００６６】
なお、図９は、撮影倍率２１０とスケール画像のファイル名２２０とを予め対応付けたテーブル２００である。
【００６７】
スケール合成部６５が、このテーブル２００を有していてもよい。この場合、スケール合成部６５は、焦点距離ｆと撮影距離ｄとに基づいてこのテーブル２００を参照し、スケール画像を選択するようにしてもよい。
【００６８】
なお、スケール画像の雛型画像を用意しておき、撮影距離ｄと焦点距離ｆに応じて前記雛型画像を拡大・縮小することにより最適なスケール画像を毎回作成することも可能である。こうすることによりスケール画像の記憶量を削減することができる。
【００６９】
なお、撮影画像とスケール画像を合成する場合、撮影画像データとスケール画像データとを互いに異なるレイヤとして管理してもよい。この場合、撮影画像の上のレイヤにスケール画像を重ねて両者を関連付けてメモリカード７６に記憶する。これにより、見かけ上は、撮影画像にスケール画像が合成されているが、データとしては別々に管理されている。このようにレイヤ別に管理すると、メモリカード７６に記録されている画像データについて、スケール合成部６５がスケール画像を自由に編集することができる。
【００７０】
図１０は、スケール合成部６５が行うスケール画像編集の例である。
【００７１】
例えば、ユーザが十字キー４４を操作することにより、撮影画像に対してスケール画像を移動させたり（図１０（ａ））、投影マスク回転ダイヤル２３を回転させることにより、スケール画像を回転させたり（図１０（ｂ））してもよい。あるいは、ユーザがメニューボタン４５、ＯＫボタン４６及びキャンセルボタン４７などを操作して、図示しないメニュー画面等を用いて、スケールの表示色を変更したり、またはスケール画像自体を他のスケール画像に置換したりできるようにしてもよい。
【００７２】
圧縮・伸長部６６は、画像処理部６４及びスケール合成部６５が出力した画像データの圧縮及び伸長を行う。例えば、圧縮・伸長部６６は、デジタル画像の系列変換（離散コサイン変換やウェーブレット変換等）及びエントロピー符号化（ランレングス符号化やハフマン符号化等）を行なうことによりデジタル画像を圧縮すると共にそれらの逆変換を施すことによりデジタル画像を伸張する。
【００７３】
表示制御部６７は、ＬＣＤ４２に画像を表示する。例えば、表示制御部６７は、ＬＣＤ４２に画像処理部６４で処理された撮影画像を表示し、あるいはスケール合成部６５でスケール画像が合成された合成画像を表示する。ＬＣＤ４２に表示される画像は、メモリカード７６から読み出された画像の他、光学処理部５０から出力される画像データに基づくリアルタイム画像がある。
【００７４】
スケール画像が合成されたリアルタイムの合成画像がＬＣＤ４２に表示されている場合、ユーザによるボタン操作に基づいて、異なるスケールタイプのスケール画像に変更したり、スケール画像を回転させたりすることもできる。これにより、そして、ユーザは、ＬＣＤ４２の表示を見ながらスケール画像と被写体との位置を調整してシャッターを押すことができる。例えば、傷の撮影を行う場合であれば、傷口の大きさが判別しやすいように、スケールの選択、配置をして構図を決めることができる。
【００７５】
上述したように、距離を測定するためのセンサを有しないカメラであっても、ユーザが投影画像を利用して、カメラと被写体との距離を撮影距離に設定して撮影することができる。これにより、実用的に問題ない精度で、撮影画像に適合したスケール画像を写し込むことができる。
【００７６】
次に、図１１に本発明の第２の実施形態に係る画像記録システムの構成を示す。
【００７７】
本実施形態では、カメラ８がホストコンピュータ９に接続されている。カメラ８とホストコンピュータ９とは、例えばＵＳＢなどにより互いにデータ送受信が可能である。本実施形態のカメラ８は、以下の点を除き、第１の実施形態のカメラ１と同様の構成を有する。すなわち、カメラ８は、第１の実施形態と異なり、撮影画像にスケール画像を合成する機能ないし構成を備えていなくてもよい。一方、カメラ８は、第１の実施形態と同様に、投影装置２が内蔵されているか、または、着脱可能に取り付けられている。
【００７８】
そして、ホストコンピュータ９は、撮影画像とその撮影画像の撮影時の焦点距離をカメラ８から取得する。例えば、データフォーマットにＥｘｉｆ（Exchangeable Image File Format）を用いれば、撮影画像とその焦点距離が対応付けられる。さらに、ホストコンピュータ９は、この撮影画像を撮影したときの撮影距離（投影装置２が投影した投影画像の焦点が合う距離）を示す情報を取得する。
【００７９】
また、ホストコンピュータ９は、第１の実施形態で説明したスケール合成部６５の機能を有し、スケール画像データを保持している。
【００８０】
これにより、ホストコンピュータ９は、画像撮影時の撮影レンズの焦点距離と撮影距離とから、第１の実施形態で説明したのと同じ要領で撮影倍率を特定し、これに適合するスケール画像を選択し、撮影画像に重ね合わせることができる。
【００８１】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【００８２】
例えば、投影開始後、音声でシャッタータイミングをカウントダウンするなどの案内を出し、これに応じて光源を消灯するようにしてもよいし、ストロボの発光を検知して光源を消灯するようにしてもよい。
【図面の簡単な説明】
【００８３】
【図１】本発明の第１の実施形態に係るデジタルカメラ１の正面側の外観を示す斜視図である。
【図２】デジタルカメラ１の背面図である。
【図３】筐体１０内に収容されている投影装置２の構成を示す図である。
【図４】投影マスク３４のパターンの一例を示す図である。
【図５】回転させた投影マスク３４の一例を示す図である。
【図６】デジタルカメラ１の機能構成図である。
【図７】スケール画像の一例を示す図である。
【図８】撮影倍率の説明図である。
【図９】撮影倍率２１０とスケール画像のファイル名２２０との対応テーブルである。
【図１０】スケール合成部６５が行うスケール画像編集の一例を示す図である。
【図１１】本発明の第２の実施形態に係る画像記録システムの構成図である。
【符号の説明】
【００８４】
１、８…デジタルカメラ、２…投影装置、１０…筐体、１１…撮影レンズ、２１…投影窓、２２…撮影距離設定ダイヤル、２３…投影マスク回転ダイヤル、２５…投影ボタン、３１…光源、３２…反射板、３３…拡散板、３４…投影マスク、３５…投影レンズ、３６…反射鏡。
【図１】
2006270136.tif 000003
【図２】
2006270136.tif 000004
【図３】
2006270136.tif 000005
【図４】
2006270136.tif 000006
【図５】
2006270136.tif 000007
【図６】
2006270136.tif 000008
【図７】
2006270136.tif 000009
【図８】
2006270136.tif 000010
【図９】
2006270136.tif 000011
【図１０】
2006270136.tif 000012
【図１１】
2006270136.tif 000013